(57)【特許請求の範囲】
【請求項１】
除雪した雪の塊を回転刃によって粉砕する第一処理部と、
ブラシが設けられ、前記第一処理部によって粉砕された雪を流通させると共に前記ブラシにより擦って微細化する第二処理部と
を備えることを特徴とする除雪処理機。
【請求項２】
内部に凹凸面が設けられた処理タンクを有し、前記第二処理部によって微細化された雪を前記凹凸面に衝突させてさらに微細化する第三処理部
を備えることを特徴とする請求項１に記載の除雪処理機。
【請求項３】
前記第一処理部に設けられ、投入される雪の塊を前記回転刃に案内する傾斜板と、
前記第三処理部によって処理されて少なくとも一部が水となった雪を蓄える貯水タンクとを備え、
前記貯水タンクの水を前記傾斜板に放出することを特徴とする請求項２に記載の除雪処理機。
【発明の詳細な説明】
【技術分野】
【０００１】
本発明は、除雪処理機、詳しくは、除雪車や除雪機、或いは手作業によって除雪された雪の塊を処理する除雪処理機に関するものである。
【背景技術】
【０００２】
北海道や東北地方等の豪雪地域では、道路や駐車場等に降り積もった雪を除雪車、除雪機、或いは手作業によって除雪し、除雪した雪を道路脇や駐車場の片隅等に積み上げている。そして、積み上げた雪の量が多くなり過ぎると、交通や生活に支障をきたすため、積み上げた雪をショベルカー等によってダンプカーに積み込み、河川敷等の雪捨て場に運んで捨てている。このように、豪雪地域では、除雪に関して多大な労力を費やしている。ここで、道路脇の側溝や近隣の用水路等に除雪した雪を流すことができれば、上述した労力を軽減することができるのであるが、雪は水に比して流動性が低く、また、除雪車等によって除雪した雪は硬い氷雪の塊となるため、除雪した雪をそのまま側溝や用水路等に流すことはできない。
【０００３】
そこで、特許文献１に開示のように、除雪した雪を熱によって融かして側溝等に流すことが提案されている。
【先行技術文献】
【特許文献】
【０００４】
【特許文献１】特開平１０−２６６１５３号公報
【発明の概要】
【発明が解決しようとする課題】
【０００５】
しかしながら、除雪した雪を熱によって融かそうとするには、バーナーやヒーター等の加熱機器を稼働させるために多大な熱エネルギーを必要とする。
【０００６】
本発明は、上記実情を鑑みてなされたものであり、除雪した雪を少ないエネルギーでシャーベット状の雪や水に変えて側溝等に流すことのできる除雪処理機の提供を課題とする。
【課題を解決するための手段】
【０００７】
請求項１の除雪処理機は、特に、除雪した雪の塊を回転刃によって粉砕する第一処理部と、ブラシが設けられ、前記第一処理部によって粉砕された雪を流通させると共に前記ブラシにより擦って微細化する第二処理部とを備えている。
請求項２の除雪処理機は、内部に凹凸面が設けられた処理タンクを有し、前記第二処理部によって微細化された雪を前記凹凸面に衝突させてさらに微細化する第三処理部を更に備えている。
請求項３の除雪処理機は、特に、前記第一処理部に設けられ、投入される雪の塊を前記回転刃に案内する傾斜板と、前記第三処理部によって処理されて少なくとも一部が水となった雪を蓄える貯水タンクとを備え、前記貯水タンクの水を前記傾斜板に放出するものである。
【０００８】
本発明に係る除雪処理機は、まず、第一処理部の回転刃によって除雪した雪の塊が粉砕されるのであるが、粉砕された雪は、まだ流動性が低く、そのままでは側溝等に捨てても、良好に流れない。そこで、次に、粉砕された雪を、ブラシが設けられた第二処理部に流通させる。すると、第一処理部にて粉砕された雪は、ブラシによって擦られて微細化され、シャーベット状の雪または水になる。よって、除雪した雪を第一処理部及び第二処理部にて処理することで、側溝等に流すことができる。ここで、本発明では、除雪した雪を熱に頼らず機械的に処理するため、少ないエネルギーで処理して側溝等に流すことができる。
【０００９】
除雪した雪について、第一処理部及び第二処理部での処理により十分な流動性が得られない場合には、請求項２の発明の如く、第三処理部での処理を追加して側溝等に流せばよい。第三処理部では、内部に凹凸面を有する処理タンクの該凹凸面に第二処理部にて処理された雪を衝突させることで、シャーベット状となった雪のさらなる微細化を図る。これにより、除雪した雪について、側溝等を良好に流れる十分な流動性を確保することができる。
【００１０】
請求項３の発明では、第一処理部に傾斜板が設けられており、投入される雪は、傾斜板によって回転刃に案内されるのであるが、投入された雪が傾斜板に付着して、雪が回転刃へと円滑に移動しない場合が想定される。そこで、第三処理部にて処理され、少なくとも一部が水となった雪を貯水タンクに蓄えて、この貯水タンクに蓄えられた水を傾斜板に放水する。この放水により雪が傾斜板上を滑り易くなり、投入される雪を傾斜板によって回転刃へと円滑に案内することができる。
【発明の効果】
【００１１】
以上のように、本発明によれば、第一処理部のみでは十分に流動性が得られないところ、更に第二処理部を設けることによって側溝等に流せ除雪した雪を少ないエネルギーでシャーベット状の雪や水に変えて側溝等に流すことのできる除雪処理機を提供することができる。
【図面の簡単な説明】
【００１２】
【図１】本発明に係る除雪処理機の概略を示す側面図である。
【図２】第一処理部の平面図である。
【図３】回転刃の側面図である。
【図４】第二処理部の縦断面図である。
【図５】図４に示したブラシ部分の拡大図である。
【図６】第三処理部の平面図である。
【図７】第三処理部の別例を示す平面図である。
【図８】貯水タンクの別例を示す側面図である。
【発明を実施するための形態】
【００１３】
本発明に係る除雪処理機の実施形態としての一例を以下に説明する。なお、本例の除雪処理機は、トラックの荷台に搭載したり、自動車に牽引される牽引車に搭載したりする等して、除雪車や除雪機に随行させることで、除雪した雪を道路脇に積み上げることなく速やかに処理して側溝等に流すことのできるものである。また、除雪車や除雪機に随行させるものに限らず、適時運用して、道路脇等に積み上げた雪を処理することもできる。
【００１４】
図１に示すように、本例の除雪処理機１は、第一処理部１０、第二処理部２０、第三処理部３０及び貯水タンク４０を備えてなるものである。
【００１５】
第一処理部１０には、図２及び図３に示すように、回転刃１１が設けられており、第一処理部１０に投入された雪（矢印Ａ）は、大きな塊となっていても、回転刃１１によって細かく粉砕されて、次の第二処理部２０へと移送される（矢印Ｂ）。ここで、本例では、モータ（図示省略）を駆動源として互いに逆方向（矢印Ｃ、矢印Ｄ）に回転駆動される一対の回転刃１１によって雪の塊を粉砕する。具体的には、多数の大径刃１１ａ及び小径刃１１ｂが互い違いに軸方向に連設された一対の回転刃１１，１１が、夫々の大径刃１１ａと小径刃１１ｂとが対向するように水平方向に並設されており、第一処理部１０に投入された雪の塊は、大径刃１１ａと小径刃１１ｂとの間にて粉砕される。また、大径刃１１ａ及び小径刃１１ｂの外周面は、歯車状の凹凸形状となっており、雪の塊は、滑ることなく、的確に粉砕される。
【００１６】
第二処理部２０は、図４に示すように、第一処理部１０にて処理された雪を流通させる管状の流通路２１内にブラシ２２が流通路２１の中心に向けて斜め方向に突出させて設けられたものであり、第一処理部１０にて処理されて細かくなった雪の塊は、ブラシ２２によって擦られることで、微細化され、シャーベット状の雪や水となる。ここで、本例では、第二処理部２０の下流側に設けられたポンプ２６の吸引力によって、雪が第一処理部１０から第二処理部２０の管状の流通路２１に引込まれるようにしてあるが、これに限らず、第二処理部２０の上流側にブロア等のポンプ２６を配置して、このポンプ２６から雪が第二処理部２０へと送出されるようにしてもよい。
【００１７】
また、本例では、ブラシ２２として、ステンレス鋼によって形成されたワイヤーブラシを採用している。そして、ブラシ２２の一本一本は、その先端が雪の流通方向（矢印Ｅ）に向って傾斜するように稙設されており、雪が円滑に移動できるようにしてある。また、第二処理部２０の上流側のブラシ２２の稙設密度を、下流側のブラシ２２よりも粗くしてあり、これによっても、雪が円滑に移動できるようにしてある。即ち、上流側から徐々に稙設密度を細かくしていくことにより雪を徐々に微細化していき、ブラシ２２によって雪の流通が阻害されることがないように設定されている。加えて、ブラシ２２の先端によって形成される開口空間２３は、第二処理部１０の上流側の開口空間２３を下流側の開口空間２３よりも広くしてあり、これによっても、雪が円滑に移動できるようにしてある。
【００１８】
ここで、本例では、ブラシ２２の粗さ、及び、ブラシ２２の先端により形成される開口空間２３の広さについて、３段階に異なるものとしているが、これに限らず、２段階或いは４段階以上に異なるものとしてもよく、また、無段階に連続的に変化させてもよい。なお、ブラシ２２の粗さ及び開口空間２３の広さは、流通路２１の全長に至って均一なものとするのを妨げるものではない。更に、流通路２１については、管状に限らず、雪が自重により移動する態様として、上部が解放された樋状の流通路２１としてもよい。
【００１９】
ところで、ブラシ２２は、図５に示すように、一本一本について、幹毛２４から延出する多数の枝毛２５を有するものとして、枝毛２５によって雪がきめ細かく擦られるようにしてもよい。幹毛２４に枝毛２５を設ける場合には、枝毛２５を、図５（ａ）に示すように、雪の流通方向Ｅに逆らう方向とすると、雪に対するブラシ２２の擦れ作用を好適に得ることができる。一方、枝毛２５を、図５（ｂ）に示すように、雪の流通方向Ｅに準じる方向とすると、雪に対するブラシ２２の無用に多大な抵抗力を抑制することができる。
【００２０】
第二処理部２０による処理後のシャーベット状の雪または水は、ポンプ２６によって第三処理部３０の処理タンク３１内に上部から放出される（矢印Ｆ）。そして、第三処理部３０では、処理タンク３１内のシャーベット状の雪または水が所定の水位Ｇ以下となるように水位センサーを用いて制御・管理されており、処理タンク３１の水位が所定の水位Ｇを超えると、ポンプ３３を作動させて処理タンク３１内のシャーベット状の雪または水を貯水タンク４０へと排出させるようになっている（矢印Ｈ）。更に、処理タンク３１の内部には、図６に示すように、内壁に近い位置に凹凸面３２が設けられている。シャーベット状の雪または水は、処理タンク３１下部の排出口周辺に渦流を形成するガイド板を設けるなどによって、処理タンク３１から排出される際に、渦流（矢印Ｉ）となり、凹凸面３２に衝突するようになっている。これにより、シャーベット状の雪は、凹凸面３２に衝突して更に微細化され、その流動性は水の流動性に近づき、側溝等に流すことができるものとなっている。
【００２１】
ここで、本例では、処理タンク３１内に配置したエキスパンドメタルによって凹凸面３２を形成しており、凹凸面３２の凹凸形状を格子状としているが、これに限らず、薄板にバーリング加工によってマトリックス状に多数の孔を穿設し、この薄板によって凹凸面３２を形成するようにしてもよい。さらには、エキスパンドメタルや薄板等の別部材による凹凸面３２に限らず、処理タンク３１の内周面に凹凸を設けて、処理タンク３１の内周面自体を凹凸面３２に形成してもよい。
【００２２】
また、凹凸面３２にシャーベット状の雪を衝突させることについては、処理タンク３１からの排水により生じる渦流によらず、図７の二点鎖線で示すように、ポンプ２６によって第二処理部２０から移送されてきたシャーベット状の雪または水を、途中で流通管を分岐させるなどして処理タンク３１の上部の側壁に設けた投入孔から処理タンク３１の周方向に噴出させて凹凸面３２に噴き付ける（矢印Ｊ）ようにしてもよい。なお、渦流は、処理タンク３１内に攪拌機を取り付け、モータの駆動により攪拌して強制的に発生させるようにしてもよい。
【００２３】
第三処理部３０による処理後のシャーベット状の雪または水は、ポンプ３３によって貯水タンク４０の上部に放出される（矢印Ｈ）。そして、貯水タンク４０では、シャーベット状の雪または水が下限の水位Ｋ以上で上限の水位Ｌ以下となるように、水位センサーを用いて制御・管理されており、貯水タンク４０の水位が上限の水位Ｌを超えると、放出弁４１が開かれて貯水タンク４０のシャーベット状の雪または水は側溝等に放出される（矢印Ｍ）。
【００２４】
一方、放出を続けて貯水タンク４０の水位が下限の水位Ｋ以下になると、放出弁４１が閉じられて貯水タンク４０の水位は上昇するようになっている。これは、貯水タンク４０内下部において確実に液体となっている水を有効利用するためである。即ち、本例では、図１及び図２に示すように、第一処理部１０には投入される雪を回転刃１１に案内する傾斜板１２が設けられており、一方で、貯水タンク４０内においては比重差からシャーベット状の雪は上層部に上昇し、水は下層部に下降するから、この下層部の水を移送して傾斜板１２の上面に放出するためである。具体的には、貯水タンク４０の下部の水は、ポンプ４２によって汲み上げられ、移送管４３を通って第一処理部１０の傾斜板１２の上面に放出される（矢印Ｎ）。これにより、雪が傾斜板１２上を滑り易くすることができ、第一処理部１０に投入される雪は、傾斜板１２によって回転刃１１へと良好に案内される。
【００２５】
以上、除雪処理機１の一例を説明したが、本発明は、上述の例に限定されず、本発明の要旨を逸脱しない範囲で適宜の変更が可能である。
【００２６】
例えば、貯水タンク４０のシャーベット状の雪または水を放出弁４１の作動によって自重により外部へと放出させるに限らず、図８（ａ）に示すように、ポンプ４４によって強制的に外部へと放出するようにしてもよい（矢印Ｐ）。この場合、外部へと放出させる管路を分岐させて、ポンプ４４によって汲み上げられた水（矢印Ｏ）の一部を移送管４３に通し傾斜板１２に放出させる（矢印Ｑ）。また、図８（ｂ）に示すように、貯水タンク４０を、上部のシャーベット状の雪または水がオーバーフローする構造とし、オーバーフローするシャーベット状の雪や水を外部へと放出させ（矢印Ｒ）、貯水タンク４０内の下部にポンプ４５を配置して、このポンプ４５によって貯水タンク４０の下部の水を移送管４３から傾斜板１２に放出するようにしてもよい（矢印Ｓ）。
【００２７】
更に、図示は省略するが、第三処理部３０と貯水タンク４０との間に、第二処理部２０と同様なブラシ２２を備えた第四処理部を増設して、この第四処理部によって、シャーベット状の雪のさらなる微細化を図るようにしてもよい。この場合、第四処理部のブラシ２２を、第二処理部２０のブラシ２２よりも細密なブラシとすることで、シャーベット状の雪の更なる微細化を好適に図ることができる。
【００２８】
なお、本発明は、除雪した雪の処理において、熱により融かすことを完全に除外するものではない。すなわち、第三処理部３０の処理タンク３１や貯水タンク４０等の適宜箇所において、バーナーやヒーターによる加熱手段を補助的に付加して、シャーベット状の雪を加熱して融かしたり、融けた直後の冷たい水を加熱して温めたりするようにしてもよい。
【符号の説明】
【００２９】
１  除雪処理機                        ２４  幹毛
１０  第一処理部                      ２５  枝毛
１１  回転刃                          ２６、３３、４２、４４、４５  ポンプ
１１ａ  大径刃                        ３０  第三処理部
１１ｂ  小径刃                        ３１  処理タンク
１２  傾斜板                          ３２  凹凸面
２０  第二処理部                      ４０  貯水タンク
２１  流通路                          ４１  放出弁
２２  ブラシ                          ４３  移送管
２３  開口空間
【要約】
【課題】除雪した雪を少ないエネルギーでシャーベット状の雪や水に変えて側溝等に流すことのできる除雪処理機を提供する。
【解決手段】除雪した雪の塊を一対の回転刃１１，１１によって粉砕する第一処理部１０と、ブラシ２２が設けられ、第一処理部１０によって粉砕された雪を流通させると共にブラシ２２により擦って微細化する第二処理部２０とを備え、加えて、内部に凹凸面３２が設けられた処理タンク３１を有し、第二処理部２０によって微細化された雪を凹凸面３２に衝突させて更に微細化する第三処理部３０を備えた。
【選択図】図１【図１】
0005512022.tif 000002
【図２】
0005512022.tif 000003
【図３】
0005512022.tif 000004
【図４】
0005512022.tif 000005
【図５】
0005512022.tif 000006
【図６】
0005512022.tif 000007
【図７】
0005512022.tif 000008
【図８】
0005512022.tif 000009